(57)【要約】      （修正有）【課題】ＩＰ電話サーバは、ＩＰ電話を使用する環境において提供される広告の効果を向上させる。【解決手段】ＩＰ電話サーバは、広告主が使用する端末から入力された広告情報を受け付ける広告情報受付手段と、前記広告情報受付手段により受け付けた前記広告情報を記憶する広告情報記憶手段と、第１のユーザ端末から第２のユーザ端末に対し、ＩＰ電話による通話を希望する旨の通知を受け付ける利用希望受付手段と、前記広告情報受付手段により受け付けた前記広告情報を前記広告情報記憶手段から抽出し、抽出した該広告情報を音声情報として、前記第１のユーザ端末において出力させる広告情報出力手段と、前記第１のユーザ端末において、前記音声情報の出力処理が終わった後、該第１のユーザ端末と前記第２のユーザ端末との間におけるＩＰ電話の回線を接続するＩＰ電話手段と、を有する。【選択図】図２
2013135256.tif 000002
【特許請求の範囲】
【請求項１】
広告主端末から入力された広告情報を受け付ける広告情報受付手段と、
前記広告情報受付手段により受け付けた前記広告情報を記憶する広告情報記憶手段と、
第１のユーザ端末から第２のユーザ端末に対し、ＩＰ電話による通話を希望する旨の通知を受け付ける利用希望受付手段と、
前記広告情報受付手段により受け付けた前記広告情報を前記広告情報記憶手段から抽出し、抽出した該広告情報を音声情報として、前記第１のユーザ端末において出力させる広告情報出力手段と、
前記第１のユーザ端末において、前記音声情報の出力処理が終わった後、該第１のユーザ端末と前記第２のユーザ端末との間におけるＩＰ電話の回線を接続するＩＰ電話手段と、を有することを特徴とするＩＰ電話サーバ。
【請求項２】
前記広告情報受付手段が、前記広告主端末から入力された電子クーポン情報の入力を受け付け、
前記広告情報記憶手段において、前記広告情報に関連付けて前記電子クーポン情報を記憶し、
前記第１のユーザ端末において、前記音声情報の出力処理が終わった後、前記広告情報記憶手段から前記電子クーポン情報を抽出し、抽出した該電子クーポン情報を、該第１のユーザ端末に対し通知するクーポン情報通知手段を有することを特徴とする請求項１に記載のＩＰ電話サーバ。
【請求項３】
前記広告情報受付手段が、文字情報である前記広告情報を受け付け、
前記広告情報出力手段が、前記文字情報を前記音声情報に変換し、変換された該音声情報を、前記第１のユーザ端末において出力させることを特徴とする請求項１又は２に記載のＩＰ電話サーバ。
【請求項４】
前記広告情報受付手段が、音声情報である前記広告情報を受け付け、
前記広告情報出力手段が、前記音声情報である広告情報を、前記第１のユーザ端末において出力させることを特徴とする請求項１乃至３の何れか一に記載のＩＰ電話サーバ。
【請求項５】
前記広告情報受付手段が、前記広告情報出力手段により前記第１のユーザ端末において出力される前記音声情報に関する属性情報を受け付け、
前記広告情報出力手段が、前記文字情報を、前記広告情報受付手段により受け付けた前記属性情報を備えた前記音声情報に変換し、変換された該音声情報を、前記第１のユーザ端末において出力させることを特徴とする請求項３に記載のＩＰ電話サーバ。
【請求項６】
前記利用希望受付手段が、前記第１のユーザ端末から第２のユーザ端末に対し、電子メールを送信することを希望する旨の通知を受け付け、
前記第１のユーザ端末から前記電子メールの本文情報を受け付けると共に、該本文情報の言語を識別する第１の言語情報及び前記第２のユーザ端末上で表示させたい前記本文情報の言語を識別する第２の言語情報を受け付けるユーザ入力受付手段と、
前記ユーザ入力受付手段により受け付けた前記第１の言語情報で識別される言語の前記本文情報を、前記第２の言語情報で識別される言語に翻訳し、翻訳された該本文情報を、前記第２のユーザ端末に通知する電子メール手段と、を有することを特徴とする請求項１乃至５の何れか一に記載のＩＰ電話サーバ。
【請求項７】
位置情報と該位置情報で識別される位置における放射能情報とを関連付けて記憶する放射能情報記憶手段と、
前記第１のユーザ端末の位置情報を、該第１のユーザ端末から取得する位置情報取得手段と、
前記放射能情報記憶手段から、前記位置情報取得手段により受け付けた前記位置情報に対応する前記放射能情報を抽出し、抽出した前記放射能情報を前記第１のユーザ端末に通知する放射能情報通知手段と、を有することを特徴とする請求項１乃至６の何れか一に記載のＩＰ電話サーバ。
【請求項８】
前記広告情報受付手段が受け付ける前記広告情報の内容と前記電子クーポン情報の内容とに関連性があることを特徴とする請求項２乃至７の何れか一に記載のＩＰ電話サーバ。
【請求項９】
ＩＰ電話の機能を提供するＩＰ電話サーバにおけるＩＰ電話方法であって、
広告情報受付手段が、広告主端末から入力された広告情報を受け付けるステップと、
利用希望受付手段が、第１のユーザ端末から第２のユーザ端末に対し、ＩＰ電話による通話を希望する旨の通知を受け付けるステップと、
広告情報出力手段が、前記広告情報受付手段により受け付けた前記広告情報を、前記広告情報受付手段により受け付けた前記広告情報を記憶する広告情報記憶手段から抽出し、抽出した該広告情報を音声情報として、前記第１のユーザ端末において出力させるステップと、
ＩＰ電話手段が、前記第１のユーザ端末において、前記音声情報の出力処理が終わった後、該第１のユーザ端末と前記第２のユーザ端末との間におけるＩＰ電話の回線を接続するステップと、を含むことを特徴とするＩＰ電話方法。
【請求項１０】
前記広告情報受付手段が、前記広告主端末から入力された電子クーポン情報の入力を受け付け、
前記広告情報記憶手段には、前記広告情報に関連付けて前記電子クーポン情報を記憶させ、
さらに、
クーポン情報通知手段が、前記第１のユーザ端末において、前記音声情報の出力処理が終わった後、前記広告情報記憶手段から前記電子クーポン情報を抽出し、抽出した該電子クーポン情報を、該第１のユーザ端末に対し通知するステップを含むことを特徴とする請求項９に記載のＩＰ電話方法。
【請求項１１】
前記広告情報受付手段が、文字情報である前記広告情報を受け付け、
前記広告情報出力手段が、前記文字情報を前記音声情報に変換し、変換された該音声情報を、前記第１のユーザ端末において出力させることを特徴とする請求項９又は１０に記載のＩＰ電話方法。
【請求項１２】
前記広告情報受付手段が、音声情報である前記広告情報を受け付け、
前記広告情報出力手段が、前記音声情報である広告情報を、前記第１のユーザ端末において出力させることを特徴とする請求項９乃至１１の何れか一に記載のＩＰ電話方法。
【請求項１３】
前記広告情報受付手段が、前記広告情報出力手段により前記第１のユーザ端末において出力される前記音声情報に関する属性情報を受け付け、
前記広告情報出力手段が、前記文字情報を、前記広告情報受付手段により受け付けた前記属性情報を備えた前記音声情報に変換し、変換された該音声情報を、前記第１のユーザ端末において出力させることを特徴とする請求項１１に記載のＩＰ電話方法。
【請求項１４】
前記利用希望受付手段が、前記第１のユーザ端末から第２のユーザ端末に対し、電子メールを送信することを希望する旨の通知を受け付け、
さらに、
ユーザ入力受付手段が、前記第１のユーザ端末から前記電子メールの本文情報を受け付けると共に、該本文情報の言語を識別する第１の言語情報及び前記第２のユーザ端末上で表示させたい前記本文情報の言語を識別する第２の言語情報を受け付けるステップと、
電子メール手段が、前記ユーザ入力受付手段により受け付けた前記第１の言語情報で識別される言語の前記本文情報を、前記第２の言語情報で識別される言語に翻訳し、翻訳された該本文情報を、前記第２のユーザ端末に通知するステップと、を有することを特徴とする請求項９乃至１３の何れか一に記載のＩＰ電話方法。
【請求項１５】
前記ＩＰ電話サーバが、位置情報と該位置情報で識別される位置における放射能情報とを関連付けて記憶する放射能情報記憶手段を有し、
さらに、
位置情報取得手段が、前記第１のユーザ端末の位置情報を、該第１のユーザ端末から取得するステップと、
放射能情報通知手段が、前記放射能情報記憶手段から、前記位置情報取得手段により受け付けた前記位置情報に対応する前記放射能情報を抽出し、抽出した前記放射能情報を前記第１のユーザ端末に通知するステップと、を含むことを特徴とする請求項９乃至１４の何れか一に記載のＩＰ電話方法。
【請求項１６】
前記広告情報受付手段が受け付ける前記広告情報の内容と前記電子クーポン情報の内容とに関連性があることを特徴とする請求項１０乃至１５の何れか一に記載のＩＰ電話方法。
【請求項１７】
コンピュータに、請求項９乃至１６の何れか一に記載の方法を実行させるためのＩＰ電話プログラム。
【発明の詳細な説明】
【技術分野】
【０００１】
ＩＰ電話機能を提供する環境を利用して広告の効果を向上させる技術に関する。
【背景技術】
【０００２】
広告は、紙や放送を媒体とするものが主流であったが、近年、インターネットを媒体として利用したものも増えて来ている。いずれにせよ、広告では、広告に投下した資本に対し如何に多くの反応を得るかという広告効果の向上が重要な課題である。
【０００３】
そうした中、主にインターネットを利用して実現されるＩＰ電話サービスと広告とを組み合わせることで、広告効果を向上させようとする試みがなされている。例えば、特許文献１では、従来の視覚に訴える広告に代え、ＩＰ電話を使用して広告内容を音声によって伝達するようにし、聴覚を利用して広告内容の伝達を行うＩＰ電話システムが提案されている。
【先行技術文献】
【特許文献】
【０００４】
【特許文献１】特開２００７−２２８０６０号
【発明の概要】
【発明が解決しようとする課題】
【０００５】
しかしながら、上記技術においては、単に、広告受け手側の広告取得手段が視覚から聴覚に代わったというだけで、それが何故、広告効果を向上させるのかという理由が不明であるという問題点が有った。
【０００６】
そこで、本発明では、上記問題点に鑑み、ＩＰ電話を使用する環境において、消費者への広告の到達率を高めることによって、広告の効果を向上させるＩＰ電話サーバ、ＩＰ電話方法及びＩＰ電話プログラムを提供することを目的とする。
【課題を解決するための手段】
【０００７】
開示するＩＰ電話サーバの一形態は、広告主端末から入力された広告情報を受け付ける広告情報受付手段と、前記広告情報受付手段により受け付けた前記広告情報を記憶する広告情報記憶手段と、第１のユーザ端末から第２のユーザ端末に対し、ＩＰ電話による通話を希望する旨の通知を受け付ける利用希望受付手段と、前記広告情報受付手段により受け付けた前記広告情報を前記広告情報記憶手段から抽出し、抽出した該広告情報を音声情報として、前記第１のユーザ端末において出力させる広告情報出力手段と、前記第１のユーザ端末において、前記音声情報の出力処理が終わった後、該第１のユーザ端末と前記第２のユーザ端末との間におけるＩＰ電話の回線を接続するＩＰ電話手段と、を有することを特徴とする。
【０００８】
開示するＩＰ電話サーバの一形態は、さらに、前記広告情報受付手段が、前記広告主端末から入力された電子クーポン情報の入力を受け付け、前記広告情報記憶手段において、前記広告情報に関連付けて前記電子クーポン情報を記憶し、前記第１のユーザ端末において、前記音声情報の出力処理が終わった後、前記広告情報記憶手段から前記電子クーポン情報を抽出し、抽出した該電子クーポン情報を、該第１のユーザ端末に対し通知するクーポン情報通知手段を有することを特徴とする。
【０００９】
開示するＩＰ電話サーバの一形態は、さらに、前記広告情報受付手段が、文字情報である前記広告情報を受け付け、前記広告情報出力手段が、前記文字情報を前記音声情報に変換し、変換された該音声情報を、前記第１のユーザ端末において出力させることを特徴とする。
【００１０】
開示するＩＰ電話サーバの一形態は、さらに、前記広告情報受付手段が、音声情報である前記広告情報を受け付け、前記広告情報出力手段が、前記音声情報である広告情報を、前記第１のユーザ端末において出力させることを特徴とする。
【００１１】
開示するＩＰ電話サーバの一形態は、さらに、前記広告情報受付手段が、前記広告情報出力手段により前記第１のユーザ端末において出力される前記音声情報に関する属性情報を受け付け、前記広告情報出力手段が、前記文字情報を、前記広告情報受付手段により受け付けた前記属性情報を備えた前記音声情報に変換し、変換された該音声情報を、前記第１のユーザ端末において出力させることを特徴とする。
【００１２】
開示するＩＰ電話サーバの一形態は、さらに、前記利用希望受付手段が、前記第１のユーザ端末から第２のユーザ端末に対し、電子メールを送信することを希望する旨の通知を受け付け、前記第１のユーザ端末から前記電子メールの本文情報を受け付けると共に、該本文情報の言語を識別する第１の言語情報及び前記第２のユーザ端末上で表示させたい前記本文情報の言語を識別する第２の言語情報を受け付けるユーザ入力受付手段と、前記ユーザ入力受付手段により受け付けた前記第１の言語情報で識別される言語の前記本文情報を、前記第２の言語情報で識別される言語に翻訳し、翻訳された該本文情報を、前記第２のユーザ端末に通知する電子メール手段と、を有することを特徴とする。
【００１３】
開示するＩＰ電話サーバの一形態は、さらに、位置情報と該位置情報で識別される位置における放射能情報とを関連付けて記憶する放射能情報記憶手段と、前記第１のユーザ端末の位置情報を、該第１のユーザ端末から取得する位置情報取得手段と、前記放射能情報記憶手段から、前記位置情報取得手段により受け付けた前記位置情報に対応する前記放射能情報を抽出し、抽出した前記放射能情報を前記第１のユーザ端末に通知する放射能情報通知手段と、を有することを特徴とする。
【００１４】
開示するＩＰ電話サーバの一形態は、さらに、前記広告情報受付手段が受け付ける前記広告情報の内容と前記電子クーポン情報の内容とに関連性があることを特徴とする。
【発明の効果】
【００１５】
開示するＩＰ電話サーバは、ＩＰ電話を使用する環境において、消費者への広告の到達率を高めることによって、広告の効果を向上させる。
【図面の簡単な説明】
【００１６】
【図１】本実施の形態に係るＩＰ電話サーバを含むＩＰ電話システムの概要を説明する図である。
【図２】本実施の形態に係るＩＰ電話サーバの機能ブロック図である。
【図３】本実施の形態に係る広告情報の一例を示す図である。
【図４】本実施の形態に係る電子クーポン情報の一例を示す図である。
【図５】本実施の形態におおけるテキストデータを音声データに変換する処理の概要を説明する図である。
【図６】本実施の形態に係る電子メールの本文情報を翻訳する処理の概要を説明する図である。
【図７】本実施の形態に係る放射能情報記憶手段に記憶される放射能情報の一例を示す図である。
【図８】本実施の形態に係るＩＰ電話サーバのハードウエア構成の一例を示す図である。
【図９】本実施の形態に係るＩＰ電話サーバによる広告情報登録処理の一例の流れを示すフローチャートである。
【図１０】本実施の形態に係るＩＰ電話サーバによるＩＰ電話機能提供処理の一例の流れを示すフローチャートである。
【図１１】本実施の形態に係るＩＰ電話サーバによる電子メール機能提供処理の一例の流れを示すフローチャートである。
【図１２】本実施の形態に係るＩＰ電話サーバによる放射能情報提供処理の一例の流れを示すフローチャートである。
【発明を実施するための形態】
【００１７】
図面を参照しながら、本発明を実施するための形態について説明する。
（本実施の形態に係るＩＰ電話サーバの概要）
【００１８】
図１を用いて、本実施の形態に係るＩＰ電話サーバ１００を含むＩＰ電話システム１０の概要について説明する。図１は、ＩＰ電話サーバ１００を含むＩＰ電話システム１０の概要を示す図である。
【００１９】
図１で示すように、ＩＰ電話システム１０は、ＩＰ電話サーバ１００、広告主端末４００、第１のユーザ端末５００、第２のユーザ端末６００を含み、これらが通信ネットワーク７００を介して接続されるシステムである。ＩＰ電話サーバ１００は、ＩＰ電話機能、電子メール翻訳通知機能、放射能情報提供機能を有する。
【００２０】
広告主端末４００は、ＩＰ電話サーバ１００に対し広告を出稿する広告主が管理する端末装置である。また、広告主端末４００は、通信ネットワーク７００を介し、ＩＰ電話サーバ１００に対し、広告情報４１０や電子クーポン情報４２０の通知を行い、ＩＰ電話サーバ１００は、通知された情報を蓄積する。
【００２１】
一方、第１のユーザ端末５００、第２のユーザ端末６００は、一般のユーザが使用する所謂、携帯情報端末（スマートフォン）などであって、ＩＰ電話サーバ１００が提供するＩＰ電話機能を利用した通話を行うことができる。なお、第１のユーザ端末５００、第２のユーザ端末６００は、スマートフォンに限定されず、下記で説明する機能を有する限り、携帯電話・固定電話であっても良く、また、パーソナルコンピュータなどの情報処理装置であっても良い。また、下記の説明では、第１のユーザ端末５００から第２のユーザ端末６００に対し発呼する形態について取扱う。
【００２２】
ＩＰ電話サーバ１００は、第１のユーザ端末５００から第２のユーザ端末６００に対し発呼要求が有った場合、端末間の回線接続を行う前に、第１のユーザ端末５００に対して先に蓄積された広告情報４１０を音声で提供をする。また、ＩＰ電話サーバ１００は、第１のユーザ端末５００に対し、所定のタイミングで、先に登録された電子クーポン情報４２０を提供する。こうすることで、ＩＰ電話サーバ１００は、ユーザがＩＰ電話というサービスの提供を受ける前に必ず広告を音声で受ける環境を提供することによって、広告の効果を向上させる。
（本実施の形態に係るＩＰ電話サーバの動作原理）
【００２３】
図２乃至図７を用いて、本実施の形態に係るＩＰ電話サーバ１００の動作原理について説明する。図２は、ＩＰ電話サーバ１００の機能ブロック図である。図２で示すように、ＩＰ電話サーバ１００は、広告情報受付手段１１０、広告情報記憶手段１２０、利用希望受付手段１３０、広告情報出力手段１４０、ＩＰ電話手段１５０、クーポン情報通知手段１６０、ユーザ入力受付手段１７０、電子メール手段１８０、位置情報取得手段１９０、放射能情報通知手段２００、放射能情報記憶手段２１０を有する。
【００２４】
広告情報受付手段１１０は、広告主端末４００から広告情報４１０を受け付け、受け付けた広告情報４１０を広告情報記憶手段１２０に記憶させる。ここで、図３を用いて広告情報４１０について説明する。また、広告情報４１０とは、取扱う情報が文字であるテキスト情報であっても、取扱情報が音声である音声情報であっても良い。
【００２５】
広告情報４１０は、テキスト情報である場合、例えば、図３（ａ）で示すように、「居酒屋チェーン○○です。…（中略）…ご予約は、０３−○○○○−○○○○まで」という広告を内容とする情報であって、広告主端末４００の操作者が文字入力を行って、ＩＰ電話サーバ１００に通知する情報である。こうすることで、広告主は、手軽な操作で、ＩＰ電話サーバ１００に対し広告を出稿することができる。
【００２６】
また、広告情報４１０は、音声情報である場合、図３（ｂ）で示すように、「アイドルの○○で〜す。…（中略）…ご予約は、０３−○○○○−○○○○まで」という広告を内容とする情報であって、例えば、アイドル○○の生の声で録音した音声データである。図３（ｂ）で示すような場合、広告情報受付手段１１０は、広告主端末４００から、音声データファイルとして広告情報４１０を取得する形態が考えられる。こうすることで、広告に臨場感を出したり、付加価値を上乗せしたりすることができるため、広告の効果を高めることができる。
【００２７】
また、広告情報受付手段１１０は、テキスト情報である広告情報４１０を受け付ける場合、後述するように、当該テキスト情報を音声情報に変換したときの属性情報４３０についても受け付ける。ここで、属性情報４３０とは、変換された音声情報における、話しのスピード、性別（男性の声であるか、女性の声であるか）、年齢層（若い人の声であるか、年配の人の声であるかなど）、ＢＧＭ、特定の人の声質などに関する情報である。
【００２８】
また、広告情報受付手段１１０は、広告主端末４００から電子クーポン情報４２０を受け付け、広告情報記憶手段１２０に記憶させる。ここで、図４を用いて電子クーポン情報４２０について説明する。電子クーポン情報４２０とは、割引券・優待券など、ユーザが何らかのメリットを受けることができることを示したことを内容とする電子データである。電子クーポン情報４２０は、例えば、図４（ａ）で示すように、居酒屋の割引券であっても良く、図４（ｂ）で示すように、アイドルのイベントへの優待券、アイドルグッズの引換券であっても良い。
【００２９】
さらに、広告情報４１０と電子クーポン情報４２０とは、特定の関連性を持った情報であっても良い。例えば、同一店に関する広告情報４１０と電子クーポン情報４２０である場合や、同じアイドルに関する広告情報４１０と電子クーポン情報４２０である場合などが考えられる。また、広告情報４１０と電子クーポン情報４２０とが、特定の関連性を持った情報である場合、広告情報記憶手段１２０においては、特定の関連性を有する情報どうしが関連付けて記憶される。こうすることで、ユーザに対し電子クーポンの利用価値、利用条件又は利用形態を周知させることができるため、広告の効果を高めることができる。
【００３０】
利用希望受付手段１３０は、第１のユーザ端末５００から第２のユーザ端末６００へ、ＩＰ電話サーバ１００が提供するＩＰ電話機能による通話をすることを希望する旨の通知を受け付ける。
【００３１】
また、利用希望受付手段１３０は、第１のユーザ端末５００から第２のユーザ端末６００へ、ＩＰ電話サーバ１００が提供する電子メール機能によるメール送信を希望する旨の通知を受け付ける。
【００３２】
広告情報出力手段１４０は、利用希望受付手段１３０により所定の通知を受け付けた場合に動作する。広告情報出力手段１４０は、広告情報記憶手段１２０に記憶される広告情報４１０を抽出し、抽出した広告情報４１０を第１のユーザ端末５００に対し、音声情報として出力させる。なお、所定の通知とは、第１のユーザ端末５００から第２のユーザ端末６００へ、ＩＰ電話サーバ１００が提供するＩＰ電話機能による通話をすることを希望する旨の通知である。こうすることで、ユーザに対し音声での広告を提供するので、広告の効果を高めることができる。
【００３３】
ここで、広告情報出力手段１４０は、広告情報４１０がテキスト情報である場合、そのテキスト情報を音声情報（音声形式）に変換し、変換した広告情報４１０を第１のユーザ端末５００で出力させる。なお、図５で示すように、広告情報出力手段１４０は、テキスト情報を音声情報に変換する場合、広告情報受付手段１１０が受け付けた属性情報４３０に対応する声質の音声情報に変換する。こうすることで、広告主が想定する適切な形態での広告を提供することができる。
【００３４】
また、広告情報出力手段１４０は、広告情報４１０が音声情報である場合、広告情報４１０を変換せず、そのままの状態の広告情報４１０を第１のユーザ端末５００で出力させる。こうすることで、広告主が用意した広告情報を有効活用することができ、また、広告主が想定する適切な形態での広告を提供することができる。
【００３５】
ＩＰ電話手段１５０は、広告情報出力手段１４０が実行させた、第１のユーザ端末５００における広告情報４１０の出力処理の終了後に動作する。ＩＰ電話手段１５０は、一般的な手法によってＩＰ電話機能を提供し、第１のユーザ端末５００・第２のユーザ端末６００間のＩＰ電話回線を接続する。こうすることで、ＩＰ電話のサービス提供を受ける前に、ユーザに対し必ず広告を聞かせることになるので、広告の効果を高めることができる。
【００３６】
クーポン情報通知手段１６０は、所定のタイミングにおいて、広告情報記憶手段１２０に記憶される電子クーポン情報４２０を抽出し、抽出した電子クーポン情報４２０を第１のユーザ端末５００に対し通知する。なお、所定のタイミングとは、広告情報出力手段１４０が実行させた、第１のユーザ端末５００における広告情報４１０の出力処理が終了したタイミングであっても良く、ＩＰ電話手段１５０による１つの通話のセッションが終了したタイミングであっても良い。こうすることで、適切なタイミングで電子クーポンを配布することができるため、広告の効果を高めることができる。
【００３７】
ユーザ入力受付手段１７０は、利用希望受付手段１３０が電子メール機能によるメール送信を希望する旨の通知を受け付けた場合に動作する。そして、ユーザ入力受付手段１７０は、電子メール機能によってメール送信する本文情報５１０と共に、第１のユーザ端末５００における使用言語（第１の言語情報５２０）及び第２のユーザ端末６００における使用言語（第２の言語情報６２０）に関する情報を受け付ける。
【００３８】
電子メール手段１８０は、ユーザ入力受付手段１７０が受け付けた第１の言語情報５２０で表される本文情報５１０を、第２の言語情報６２０に変換し、変換した本文情報５１０を第２のユーザ端末６００へ通知する。図６で示すように、電子メール手段１８０は、例えば、日本語で表された本文情報５１０を英語に変換し、英語に変換された本文情報５１０を第２のユーザ端末６００へ通知する。こうすることで、ＩＰ電話サーバ１００は、ソーシャルメディアネットワークなどが発展し母国語（使用言語）の異なる友人・知人が増加する中、使用言語が異なる人々の間であっても、コミュニケーションを容易にさせることができる。
【００３９】
放射能情報記憶手段２１０は、位置情報と、当該位置情報が示す位置における放射能情報（放射線の状態に関する情報）５３０とを関連付けて記憶する。図７で示すように、例えば、放射能情報記憶手段２１０では、緯度と経度で識別される位置情報と、放射能情報５３０とを関連付けて記憶している。ここで、放射能情報５３０とは、単位時間当たりの生体への被曝の大きさを表す情報（毎時シーベルト）などである。なお、放射能情報記憶手段２１０に記憶される情報は、定期的に更新される。
位置情報取得手段１９０は、第１のユーザ端末５００が備えるＧＰＳ機能などで測位した第１のユーザ端末５００の位置情報を取得する。
【００４０】
放射能情報通知手段２００は、位置情報取得手段１９０が取得した第１のユーザ端末５００の位置情報に対応する放射能情報５３０を抽出し、抽出した放射能情報５３０を第１のユーザ端末５００へ通知する。こうすることで、ＩＰ電話サーバ１００は、各位置における放射線の状態が人体に与える影響度をスムーズに提供することができる。
（本実施の形態に係るＩＰ電話サーバのハードウエア構成）
【００４１】
図８を用いて、本実施の形態に係るＩＰ電話サーバ１００のハードウエア構成例について説明する。図８は、ＩＰ電話サーバ１００のハードウエア構成の一例を示す図である。
【００４２】
図８で示すように、ＩＰ電話サーバ１００は、ＣＰＵ（Central Processing Unit）２２０、ＲＯＭ（Read-Only Memory）２３０、ＲＡＭ（Random
Access Memory）２４０、補助記憶装置２５０、通信Ｉ／Ｆ２６０、入力装置２７０、表示装置２８０、記憶媒体Ｉ／Ｆ２９０を有する。
【００４３】
ＣＰＵ２２０は、ＲＯＭ２３０に記憶されたプログラムを実行する装置であり、ＲＡＭ２４０に展開（ロード）されたデータを、プログラムの命令に従って演算処理し、ＩＰ電話サーバ１００全体を制御する。ＲＯＭ２３０は、ＣＰＵ２２０が実行するプログラムやデータを記憶している。ＲＡＭ２４０は、ＣＰＵ２２０でＲＯＭ２３０に記憶されたプログラムを実行する際に、実行するプログラムやデータが展開（ロード）され、演算の間、演算データを一時的に保持する。
【００４４】
補助記憶装置２５０は、基本ソフトウエアであるＯＳ（Operating System）や本実施の形態に係るアプリケーションプログラムなどを、関連するデータとともに記憶する装置である。補助記憶装置２５０は、広告情報記憶手段１２０、放射能情報記憶手段２１０を含み、例えば、ＨＤＤ（Hard
Disc Drive）などである。
【００４５】
通信Ｉ／Ｆ２６０は、有線・無線ＬＡＮ（Local Area Network）、インターネットなど通信ネットワークに接続し、通信機能を提供する他装置とデータの授受を行うためのインタフェースである。例えば、ＩＰ電話サーバ１００は、通信Ｉ／Ｆ２６０を介して、広告主端末４００、第１のユーザ端末５００、第２のユーザ端末６００とデータの送受信を行う。
【００４６】
入力装置２７０は、キーボートなどＩＰ電話サーバ１００にデータ入力を行うための装置である。表示装置２８０は、ＬＣＤ（Liquid Crystal Display）等で構成される装置であり、ＩＰ電話サーバ１００が有する機能をユーザが利用する際や各種設定を行う際のユーザインタフェースとして機能する装置である。記憶媒体Ｉ／Ｆ２９０は、ＣＤ−ＲＯＭ、ＤＶＤ−ＲＯＭ、ＵＳＢメモリなどの記憶媒体３００とデータの送受信を行うためのインタフェースである。
【００４７】
ＩＰ電話サーバ１００が有する各手段は、ＣＰＵ２２０が、ＲＯＭ２３０又は補助記憶装置２５０に記憶された各手段に対応するプログラムを実行することにより実現される形態としても良い。また、ＩＰ電話サーバ１００が有する各手段は、当該各手段に関する処理をハードウエアとして実現される形態としても良い。また、記憶媒体Ｉ／Ｆ２９０を介して、記憶媒体３００から本発明に係るＩＰ電話プログラムを読み込ませ、ＩＰ電話サーバ１００に当該プログラムを実行させる形態としても良い。
（本実施の形態に係るＩＰ電話サーバによる処理例）
【００４８】
図９乃至図１２を用いて、本実施の形態に係るＩＰ電話サーバ１００による処理例について説明する。以下、ＩＰ電話サーバ１００による情報処理を、便宜的に（１）広告情報登録処理、（２）ＩＰ電話機能提供処理、（３）電子メール機能提供処理、（４）放射能情報提供処理の４つに区分し、区分した情報処理毎に説明する。
（１）広告情報登録処理
【００４９】
図９を用いて、ＩＰ電話サーバ１００による広告情報登録処理について説明する。図９は、ＩＰ電話サーバ１００による広告情報登録処理の一例の流れを示すフローチャートである。
【００５０】
Ｓ１０で広告情報受付手段１１０が、広告主端末４００から広告情報４１０を受け付け、受け付けた広告情報４１０を広告情報記憶手段１２０に記憶させる。ここで、広告情報４１０は、テキスト情報であっても、音声情報であっても良い。図３（ａ）で示すように、例えば、広告情報４１０は、テキスト情報「居酒屋チェーン○○です。…（中略）…ご予約は、０３−○○○○−○○○○まで」である。また、図３（ｂ）で示すように、例えば、広告情報４１０は、アイドル○○の声を録音した音声情報「アイドルの○○で〜す。…（中略）…ご予約は、０３−○○○○−○○○○まで」である。
Ｓ２０で広告情報受付手段１１０が、Ｓ１０で受け付けた広告情報４１０を、広告情報記憶手段１２０に記憶する。
【００５１】
Ｓ３０で広告情報受付手段１１０が、広告主端末４００から電子クーポン情報４２０を受け付け、広告情報記憶手段１２０に記憶させる。ここで、電子クーポン情報４２０とは、割引券・優待券などを内容とする電子データである。電子クーポン情報４２０は、例えば、図４（ａ）で示すように、居酒屋の割引券であっても良く、図４（ｂ）で示すように、アイドルのイベントへの優待券、アイドルグッズの引換券であっても良い。
【００５２】
Ｓ４０で広告情報受付手段１１０が、Ｓ３０で受け付けた電子クーポン情報４２０を、Ｓ２０で記憶させた広告情報４１０と関連付けて、広告情報記憶手段１２０に記憶する。
【００５３】
なお、Ｓ１０において広告情報受付手段１１０は、広告情報４１０であるテキスト情報を音声情報に変換したときの属性情報４３０についても受け付ける形態としても良い。ここで、属性情報４３０とは、変換された音声情報における、話しのスピード、性別（男性の声であるか、女性の声であるか）、年齢層（若い人の声であるか、年配の人の声であるかなど）、ＢＧＭ、特定の人の声質などの情報である。
【００５４】
このような情報処理を提供することで、ＩＰ電話サーバ１００は、広告主端末４００からオンラインで広告情報４１０の出稿及び電子クーポン情報４２０の受付をすることができる。
（２）ＩＰ電話機能提供処理
【００５５】
図１０を用いて、ＩＰ電話サーバ１００によるＩＰ電話機能提供処理について説明する。図１０は、ＩＰ電話サーバ１００によるＩＰ電話機能提供処理の一例の流れを示すフローチャートである。
【００５６】
Ｓ１１０で利用希望受付手段１３０が、第１のユーザ端末５００から第２のユーザ端末６００へ、ＩＰ電話サーバ１００が提供するＩＰ電話機能によって通話することを希望する旨の通知を受け付ける。
【００５７】
Ｓ１２０で広告情報出力手段１４０が、広告情報記憶手段１２０に記憶される広告情報４１０を抽出し、抽出した広告情報４１０を第１のユーザ端末５００に対し、音声情報として出力させる。ここで、広告情報出力手段１４０は、広告情報４１０がテキスト情報である場合、そのテキスト情報を音声情報（音声形式）に変換し、変換した広告情報４１０を第１のユーザ端末５００で出力させる。
【００５８】
また、Ｓ１０で広告情報受付手段１１０によって、属性情報４３０が受け付けられている場合、Ｓ１２０において広告情報出力手段１４０は、テキスト情報を、属性情報４３０に対応する声質の音声情報に変換する。一方、広告情報４１０が音声情報である場合、Ｓ１２０において広告情報出力手段１４０は、広告情報４１０を変換せず、そのままの状態の広告情報４１０を第１のユーザ端末５００で出力させる。
【００５９】
Ｓ１２０で広告情報出力手段１４０が実行させた、第１のユーザ端末５００における広告情報４１０の出力処理の終了した場合、Ｓ１３０でＩＰ電話手段１５０が、一般的な手法によってＩＰ電話機能を提供し、第１のユーザ端末５００・第２のユーザ端末６００間のＩＰ電話回線を接続する。
【００６０】
Ｓ１４０でクーポン情報通知手段１６０が、広告情報記憶手段１２０において、Ｓ１２０で提供した広告情報４１０と関連付けて記憶される電子クーポン情報４２０を抽出し、抽出した電子クーポン情報４２０を第１のユーザ端末５００に対し通知する。
【００６１】
このような情報処理を行うことで、ＩＰ電話サーバ１００は、ＩＰ電話サービスを提供する前段階で、ユーザに対し必ず広告を音声で通知する仕組みを提供することで、ユーザが広告を無視する行為の発生を低減させる。それと共に、ＩＰ電話サーバ１００は、ユーザが広告を聞く機会を増加させる。そのため、ＩＰ電話サーバ１００は、広告の効果を高めることができる。
（３）電子メール機能提供処理
【００６２】
図１１を用いて、ＩＰ電話サーバ１００による電子メール機能提供処理について説明する。図１１は、ＩＰ電話サーバ１００による電子メール機能提供処理の一例の流れを示すフローチャートである。
【００６３】
Ｓ２１０で利用希望受付手段１３０が、第１のユーザ端末５００から第２のユーザ端末６００へ、ＩＰ電話サーバ１００が提供する電子メール機能によるメール送信を希望する旨の通知を受け付ける。
【００６４】
Ｓ２２０ユーザ入力受付手段１７０が、ＩＰ電話サーバ１００の電子メール機能によってメール送信する本文情報５１０と共に、第１の言語情報５２０及び第２の言語情報６２０を受け付ける。
【００６５】
Ｓ２３０で電子メール手段１８０が、Ｓ２２０でユーザ入力受付手段１７０によって受け付けられた第１の言語情報５２０で表される本文情報５１０を、第２の言語情報６２０に変換する。
【００６６】
Ｓ２４０で電子メール手段１８０が、Ｓ２３０で変換した本文情報５１０を第２のユーザ端末６００へ通知する。図６で示すように、電子メール手段１８０は、日本語で表された本文情報５１０を英語／中国語／韓国語に変換し、変換した本文情報５１０を第２のユーザ端末６００へ通知する。
【００６７】
このような情報処理を行うことによって、ＩＰ電話サーバ１００は、使用言語・母国語の異なる友人・知人間で行うコミュニケーションを促進させることができる。
（４）放射能情報提供処理
【００６８】
図１２を用いて、ＩＰ電話サーバ１００による放射能情報提供処理について説明する。図１２は、ＩＰ電話サーバ１００による放射能情報提供処理の一例の流れを示すフローチャートである。
Ｓ３１０で位置情報取得手段１９０が、第１のユーザ端末５００が備えるＧＰＳ機能などで測位した第１のユーザ端末５００の位置情報を取得する。
【００６９】
Ｓ３２０で放射能情報通知手段２００が、図７で示すような放射能情報記憶手段２１０から、Ｓ３１０で位置情報取得手段１９０によって取得された第１のユーザ端末５００の位置情報に対応する放射能情報５３０を抽出する。
Ｓ３３０で放射能情報通知手段２００が、Ｓ３２０で抽出した放射能情報５３０を第１のユーザ端末５００へ通知する。
【００７０】
このような情報処理を行うことによって、ＩＰ電話サーバ１００は、ユーザが今いる位置における放射線が人体に与える影響度をリアルタイムで知らせることができる。
（総括）
【００７１】
ＩＰ電話サーバ１００は、ＩＰ電話サービスの提供要求が有った場合、サービス提供の前段階で、サービス要求者へ広告情報を音声で提供することによって、消費者（サービス要求者）への広告の到達率を向上させるため、広告の効果を高めることができる。
【００７２】
ＩＰ電話サーバ１００は、ソーシャルメディアネットワークなどが発展し母国語（使用言語）の異なる友人・知人が増加する中、使用言語が異なる人々の間であっても、コミュニケーションを容易にさせることができる。
【００７３】
ＩＰ電話サーバ１００は、各ユーザの今いる位置の放射能情報を知りたいというニーズが高まる中、各ユーザの今いる位置における放射線が人体に与える影響度をリアルタイムで知らせることができる。
【００７４】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００７５】
１０    ＩＰ電話システム
１００  ＩＰ電話サーバ
１１０  広告情報受付手段
１２０  広告情報記憶手段
１３０  利用希望受付手段
１４０  広告情報出力手段
１５０  ＩＰ電話手段
１６０  クーポン情報通知手段
１７０  ユーザ入力受付手段
１８０  電子メール手段
１９０  位置情報取得手段
２００  放射能情報通知手段
２１０  放射能情報記憶手段
２２０  ＣＰＵ
２３０  ＲＯＭ
２４０  ＲＡＭ
２５０  補助記憶装置
２６０  通信Ｉ／Ｆ
２７０  入力装置
２８０  表示装置
２９０  記憶媒体Ｉ／Ｆ
３００  記憶媒体
４００  広告主端末
４１０  広告情報
４２０  電子クーポン情報
４３０  属性情報
５００  第１のユーザ端末
５１０  電子メールの本文情報
５２０  第１の言語情報
５３０  放射能情報
６００  第２のユーザ端末
６２０  第２の言語情報
７００  通信ネットワーク
【図１】
2013135256.tif 000003
【図２】
2013135256.tif 000004
【図３】
2013135256.tif 000005
【図４】
2013135256.tif 000006
【図５】
2013135256.tif 000007
【図６】
2013135256.tif 000008
【図７】
2013135256.tif 000009
【図８】
2013135256.tif 000010
【図９】
2013135256.tif 000011
【図１０】
2013135256.tif 000012
【図１１】
2013135256.tif 000013
【図１２】
2013135256.tif 000014